(57)【要約】【課題】如何なる状態の地面でも使用できる杖の石突により、ユーザの快適性が向上して安定的に支持するとともに、安全に使用することができる杖の石突構造を提供する。【解決手段】杖の石突構造は、杖杆体５０の底部に取り付けられて支持機能及び緩衝機能を有し、石突本体１０、中心軸棒２０、揺動スリーブ３０及び組立スリーブ４０を備える。石突本体１０は、上端中央部に内側に凹んだ弧面状の案内槽１２が形成され、案内槽１２により石突本体１０に収容空間が成形される。中心軸棒２０の両端部には、接続ロッド部２１及び組立ロッド部２２がそれぞれ設けられる。接続ロッド部２１と組立ロッド部２２との間には位置決めフランジ２３が設けられる。揺動スリーブ３０の底部は弧状凸部３１に成形され、中心軸棒２０が石突本体１０の案内槽１２に当接される。組立スリーブ４０は、スリーブ本体４１を有する。【選択図】図２
0003204362.tif 000002
【実用新案登録請求の範囲】
【請求項１】
前記石突本体、中心軸棒、揺動スリーブ及び組立スリーブを備えた石突構造であって、石突構造が杖杵体の底部に取り付けられて支持機能及び緩衝機能を有するものであり、
前記石突本体は、上端中央部に内側に凹んだ弧面状の案内槽が形成され、前記案内槽により前記石突本体に収容空間が成形され、
前記中心軸棒の両端部には、接続ロッド部及び組立ロッド部がそれぞれ設けられ、前記接続ロッド部と前記組立ロッド部との間には位置決めフランジが設けられ、前記中心軸棒は、前記組立ロッド部を介して前記揺動スリーブに嵌合され、前記組立ロッド部により前記案内槽から前記収容空間内へ挿入され、前記収容空間において弾性部材が前記組立ロッド部に係合され、前記中心軸棒が下方へ向かって沈設されるとともに、前記位置決めフランジが前記揺動スリーブを下方へ向かって押動して前記石突本体に当接し、前記接続ロッド部には、緩衝部材が嵌合され、前記緩衝部材は、一端が前記位置決めフランジに当接され、他端が前記揺動スリーブから突出され、
前記揺動スリーブの底部は弧状凸部に成形され、前記中心軸棒が前記石突本体の前記案内槽に当接され、
前記組立スリーブは、スリーブ本体を有し、前記スリーブ本体内の中央部にはストッパ部が設けられ、前記ストッパ部を介して前記スリーブ本体内に下部嵌合部及び上部嵌合部が設けられ、前記スリーブ本体は、前記下部嵌合部を介して前記揺動スリーブに嵌合するとともに、前記緩衝部材により押し付けられ、前記ストッパ部は、前記中心軸棒が挿通されて螺着されて前記上部嵌合部へ向かうように中空ピンが設けられ、前記上部嵌合部を介して前記杖杆体に取り付けられていることを特徴とする杖の石突構造。
【請求項２】
前記石突本体は、３点支持体を呈し、底部に３つのパッドを有することを特徴とする請求項１に記載の杖の石突構造。
【請求項３】
前記石突本体の底部は、前記収容空間と連通し、蓋体が覆うように配置されていることを特徴とする請求項１又は２に記載の杖の石突構造。
【請求項４】
前記スリーブ本体の前記上部嵌合部の側壁と前記杖杆体とには、互いに位置合わせされた穿孔が形成され、前記穿孔にピンが挿通されて前記上部嵌合部の側壁と前記杖杆体とが互いに連結固定されることを特徴とする請求項１に記載の杖の石突構造。
【請求項５】
前記スリーブ本体の前記上部嵌合部の外周縁には、締付けリングが螺入されるねじ部が設けられ、
前記締付けリング内には、前記杖杆体を押し付けて固定する前記押付けリングが嵌合されることを特徴とする請求項１に記載の杖の石突構造。
【請求項６】
前記スリーブ本体の前記上部嵌合部の端口内径は、上方向から下方向にかけて広がった形状を有する導入開口に成形され、前記押付けリングは、徐々に小さくなるように形成されたガイド斜面を有し、前記締付けリングと前記スリーブ本体とが螺着される際、前記押付けリングは、前記ガイド斜面が前記導入開口に沿って前記上部嵌合部に押入されると徐々に引き込まれて押し付けられることを特徴とする請求項５に記載の杖の石突構造。
【請求項７】
前記押付けリングの外壁には、環状嵌合溝が形成され、
前記締付けリングの開口端を有する係合リブにより、前記押付けリングと前記締付けリングとが嵌合されることを特徴とする請求項５又は６に記載の杖の石突構造。
【考案の詳細な説明】
【技術分野】
【０００１】
本考案は、石突に関するものであり、さらに詳しくは、杖の石突構造に関するものである。
【背景技術】
【０００２】
杖は、老人、脚を怪我した者、身障者など身体が不自由な者、登山者が立ち上がったり歩行したりする際に使用する重要な道具であり、杖を使用することにより立ち上がったり歩行したりする際の支持点が増え、脚にかかる負担を減らすことができる。
【０００３】
杖には、手で握って使用する一本杖、脇下で挟んで使用する松葉杖など使用方式が異なる様々なものがある。杖は、手で握るグリップを頂部に有し、ユーザが立ち上がったり歩行したりする際に、グリップを握って杖を地面に当てて使用する。脇下で挟んで使用する松葉杖の頂部には、脇下を当てて使用する弧形状の脇当てが設けられ、ユーザが立ち上がったり歩行したりする際、脇下で弧形状の脇当てを挟み、地面に杖を当てて使用する。従来の杖の先端には、石突ゴムが取り付けられている。石突ゴムは弾力性を有するため、杖が地面に突かれたときの反発力により生じる衝撃を減らすとともに、石突きゴムにより杖と地面との摩擦力を高め、滑り止め効果を得ることができる。
【０００４】
しかし、上述した構造を詳しく見ると分かるように、従来技術には以下の欠点があった。従来の杖は、石突ゴムの厚さ及び外観により提供される揺動幅及び緩衝に限界があるため、ユーザは円滑に操作することが困難である上、石突ゴムを長期間頻繁に使用すると弾性疲労が生じて摩損し易いため、検査及び交換を頻繁に行う必要があった。また、従来の杖は固定構造であるため、地面に接触する際、地面の傾きに対応せず、支持の安定性が低く、大きい角度で傾いて滑り易いため安全性が低いという問題があった。
【考案の概要】
【考案が解決しようとする課題】
【０００５】
従って、本考案の主な課題は、如何なる状態の地面でも使用することができる杖の石突により、ユーザの快適性が向上して安定的に支持するとともに、安全に使用することができる杖の石突構造を提供することにある。
【課題を解決するための手段】
【０００６】
そこで、上記課題を解決するために本考案者は種々検討を重ねた結果、下記の通りの構成により前記課題を解決できることに着目し、本考案を想到するに至った。すなわち、本考案によれば、杖杆体の底部に取り付けられて支持機能及び緩衝機能を有し、石突本体、中心軸棒、揺動スリーブ及び組立スリーブを備えた杖の石突構造であって、前記石突本体は、上端中央部に内側に凹んだ弧面状の案内槽が形成され、前記案内槽により前記石突本体に収容空間が成形され、前記中心軸棒の両端部には、接続ロッド部及び組立ロッド部がそれぞれ設けられ、前記接続ロッド部と前記組立ロッド部との間には位置決めフランジが設けられ、前記中心軸棒は、前記組立ロッド部を介して前記揺動スリーブに嵌合され、前記組立ロッド部により前記案内槽から前記収容空間内へ挿入され、前記収容空間において弾性部材が前記組立ロッド部に係合され、前記中心軸棒が下方へ向かって沈設されるとともに、前記位置決めフランジが前記揺動スリーブを下方へ向かって押動されて前記石突本体に当接され、前記接続ロッド部には、緩衝部材が嵌合され、前記緩衝部材は、一端が前記位置決めフランジに当接され、他端が前記揺動スリーブから突出され、前記揺動スリーブの底部は弧状凸部に成形され、前記中心軸棒が前記石突本体の前記案内槽に当接され、前記組立スリーブは、スリーブ本体を有し、前記スリーブ本体内の中央部にはストッパ部が設けられ、前記ストッパ部を介して前記スリーブ本体内に下嵌合部及び上嵌合部が設けられ、前記スリーブ本体は、前記下嵌合部を介して前記揺動スリーブに嵌合されるとともに、前記緩衝部材により押し付けられ、前記ストッパ部は、前記中心軸棒が挿通されて螺着されて前記上嵌合部へ向かうように中空ピンが設けられ、前記上嵌合部を介して前記杖杆体に取り付けられていることを特徴とする杖の石突構造が提供される。
かくして、本考案の要旨は以下の通りである。
【０００７】
（１）石突本体、中心軸棒、揺動スリーブ及び組立スリーブを備えた杖の石突構造であって、前記石突構造が杖杆体の底部に取り付けられて支持機能及び緩衝機能を有するものであり、
前記石突本体は、上端中央部に内側に凹んだ弧面状の案内槽が形成され、前記案内槽により前記石突本体に収容空間が成形され、
前記中心軸棒の両端部には、接続ロッド部及び組立ロッド部がそれぞれ設けられ、前記接続ロッド部と前記組立ロッド部との間には位置決めフランジが設けられ、前記中心軸棒は、前記組立ロッド部を介して前記揺動スリーブに嵌合され、前記組立ロッド部により前記案内槽から前記収容空間内へ挿入され、前記収容空間において弾性部材が前記組立ロッド部に係合され、前記中心軸棒が下方へ向かって沈設されるとともに、前記位置決めフランジが前記揺動スリーブを下方へ向かって押動して前記石突本体に当接し、前記接続ロッド部には、緩衝部材が嵌合され、前記緩衝部材は、一端が前記位置決めフランジに当接され、他端が前記揺動スリーブから突出され、
前記揺動スリーブの底部は弧状凸部に成形され、前記中心軸棒が前記石突本体の前記案内槽に当接され、
前記組立スリーブは、スリーブ本体を有し、前記スリーブ本体内の中央部にはストッパ部が設けられ、前記ストッパ部を介して前記スリーブ本体内に下部嵌合部及び上部嵌合部が設けられ、前記スリーブ本体は、前記下部嵌合部を介して前記揺動スリーブに嵌合するとともに、前記緩衝部材により押し付けられ、前記ストッパ部は、前記中心軸棒が挿通されて螺着されて前記上部嵌合部へ向かうように中空ピンが設けられ、前記上部嵌合部を介して前記杖杆体に取り付けられていることを特徴とする杖の石突構造。
【０００８】
（２）前記石突本体は、３点支持体を呈し、底部に３つのパッドを有することを特徴とする前記（１）に記載の杖の石突構造。
【０００９】
（３）前記石突本体の底部は、前記収容空間と連通し、蓋体が覆うように配置されていることを特徴とする前記（１）又は（２）に記載の杖の石突構造。
【００１０】
（４）前記スリーブ本体の前記上部嵌合部の側壁と前記杖杆体とには、互いに位置合わせされた穿孔が形成され、前記穿孔にピンが挿通されて前記上部嵌合部の側壁と前記杖杆体とが互いに連結固定されることを特徴とする前記（１）に記載の杖の石突構造。
【００１１】
（５）前記スリーブ本体の前記上部嵌合部の外周縁には、締付けリングが螺入されるねじ部が設けられ、
前記締付けリング内には、前記杖杆体を押し付けて固定する前記押付けリングが嵌合されることを特徴とする前記（１）に記載の杖の石突構造。
【００１２】
（６）前記スリーブ本体の前記上部嵌合部の端口内径は、上方向から下方向にかけて広がった形状を有する導入開口に成形され、前記押付けリングは、徐々に小さくなるように形成されたガイド斜面を有し、前記締付けリングと前記スリーブ本体とが螺着される際、前記押付けリングは、前記ガイド斜面が前記導入開口に沿って前記上部嵌合部に押入されると徐々に引き込まれて押し付けられることを特徴とする前記（５）に記載の杖の石突構造。
【００１３】
（７）前記押付けリングの外壁には、環状嵌合溝が形成され、
前記締付けリングの開口端を有する係合リブにより、前記押付けリングと前記締付けリングとが嵌合されることを特徴とする前記（５）又は（６）に記載の杖の石突構造。
【考案の効果】
【００１４】
本考案の杖の石突構造は、如何なる状態の地面でも使用できる杖の石突により、ユーザの快適性が向上して安定的に支持するとともに、安全に使用することができる。
【図面の簡単な説明】
【００１５】
【図１】図１は、本考案の一実施形態に係る杖の石突構造を示す斜視図である。
【図２】図２は、本考案の一実施形態に係る杖の石突構造を示す分解斜視図である。
【図３】図３は、本考案の一実施形態に係る杖の石突構造を示す断面図である。
【図４】図４は、本考案の一実施形態に係る杖の石突構造を示す斜視図である。
【図５】図５は、本考案の一実施形態に係る杖の石突構造の下圧緩衝状態を示す断面図である。
【図６】図６は、本考案の一実施形態に係る杖の石突構造が一側から力を受けて傾くときの状態を示す断面図である。
【図７】図７は、本考案の一実施形態に係る杖の石突構造が他側から力を受けて傾くときの状態を示す断面図である。
【図８】図８は、本考案の他の実施形態に係る杖の石突構造を示す斜視図である。
【図９】図９は、本考案の他の実施形態に係る杖の石突構造を示す分解斜視図である。
【図１０】図１０は、本考案の他の実施形態に係る杖の石突構造を示す断面図である。
【考案を実施するための形態】
【００１６】
まず、図１〜図３を参照する。図１〜図３に示すように、本考案の一実施形態に係る杖の石突構造は、杖杆体５０の底部に取り付けられて支持機能及び緩衝機能を有し、石突本体１０、中心軸棒２０、揺動スリーブ３０及び組立スリーブ４０を含む。石突本体１０は、３点支持体を呈し、底部に３つのパッド１１を有する。石突本体１０の上端中央部には、内側に凹んだ凹弧面状の案内槽１２が形成され、案内槽１２により石突本体１０に収容空間１３が成形されている。石突本体１０の底部は、収容空間１３と連通し、蓋体１４が覆うように配置されている。中心軸棒２０の両端部には、接続ロッド部２１及び組立ロッド部２２がそれぞれ設けられ、接続ロッド部２１と組立ロッド部２２との間には位置決めフランジ２３が設けられる。中心軸棒２０は、組立ロッド部２２を介して揺動スリーブ３０に嵌合され、組立ロッド部２２により案内槽１２から収容空間１３内へ挿入され、収容空間１３において弾性部材２４が組立ロッド部２２に係合され、中心軸棒２０が下方へ向かって沈設されるとともに、位置決めフランジ２３が揺動スリーブ３０を下方へ向かって押動して石突本体１０に当接し、接続ロッド部２１には、緩衝部材２５が嵌合される。緩衝部材２５は、一端が位置決めフランジ２３に当接され、他端が揺動スリーブ３０から突出する。揺動スリーブ３０の底部は弧状凸部３１に成形され、中心軸棒２０が石突本体１０の案内槽１２に当接する。組立スリーブ４０は、スリーブ本体４１を有する。スリーブ本体４１内の中央部にはストッパ部４１１が設けられ、ストッパ部４１１を介してスリーブ本体４１内に下部嵌合部４１２及び上部嵌合部４１３が設けられる。スリーブ本体４１は、下嵌合部４１２を介して揺動スリーブ３０に嵌合されるとともに、緩衝部材２５により押し付けられ、ストッパ部４１１は、中心軸棒２０が挿通されて螺着され、上部嵌合部４１３へ向かうように中空ピン４１４が設けられ、上部嵌合部４１３を介して杖杆体５０に取り付けられる。スリーブ本体４１の上嵌合部４１３の側壁と杖杆体５０とには、互いに位置合わせされた穿孔４１５，５１が形成され、穿孔４１５，５１にピン４１６が挿通されて上部嵌合部４１３の側壁と杖杆体５０とが互いに連結固定される。
【００１７】
図１〜図３に示すように、中心軸棒２０の組立ロッド部２２が揺動スリーブ３０に挿設され、石突本体１０の案内槽１２を介して収容空間１３内に組み入れられ、収容空間１３に弾性部材２４を収容し、上方へ向かって組立ロッド部２２に嵌合させ、ナット２２１を弾性部材２４に螺着し、弾性部材２４の蓄勢により中心軸棒２０が下方へ向かって沈設されるとともに、位置決めフランジ２３により嵌合・押動して揺動スリーブ３０を駆動し、揺動スリーブ３０の弧状凸部３１が石突本体１０の案内槽１２に当接され、揺動スリーブ３０が石突本体１０に対して様々な方向で傾き、中心軸棒２０の接続ロッド部２１には緩衝部材２５が嵌合され、組立スリーブ４０が取り付けられる。組立スリーブ４０は、スリーブ本体４１の下嵌合部４１２が揺動スリーブ３０の外径に嵌合され、緩衝部材２５がストッパ部４１１と位置決めフランジ２３との間に当接され、中心軸棒２０の接続ロッド部２１を中空ピン４１４に挿通してからナット２１１で螺着すると、杖のベースが完成する。杖杆体５０に組立スリーブ４０の上部嵌合部４１３を取り付け、ピン４１６を上部嵌合部４１３と杖杆体５０の穿孔４１５，５１とに挿通させると杖構造が完成する。
【００１８】
図３〜図５に示すように、本考案の一実施形態に係る杖の石突構造を実際に使用する際、ユーザが杖構造を手で持って使用するときに杖に荷重が加わると、組立スリーブ４０が下方へ変位して緩衝部材２５が圧縮され、組立スリーブ４０と揺動スリーブ３０との間に圧力・緩衝効果が発生し、杖構造が地面に当たるときの力を吸収し、地面から押し返される反発力を減らし、杖構造を快適に使用することができ、杖を手で持って歩くときに感じる不快感を大幅に減らし、杖が地面から離れると緩衝部材２５が弾性回復し、緩衝部材２５の蓄勢により組立スリーブ４０が復位する。
【００１９】
図６及び図７に示すように、揺動スリーブ３０は、弧状凸部３１が当接されて石突本体１０の案内槽１２に埋入され、様々な方向に傾くことが可能な状態であり、中心軸棒２０が組立ロッド部２２を介して揺動スリーブ３０及び石突本体１０に挿通された後、収容空間１３に弾性部材２４が挿設され、杖構造を手で持って傾いた路面又は凹凸状の路面を歩行する際、石突本体１０が地面に当たった後に杖杆体５０が横から力を受けると、揺動スリーブ３０と石突本体１０とが様々な方向で傾くため、石突本体１０が地面に当たったときの安定性及び安全性を高めるとともに、弾性部材２４により石突本体１０と揺動スリーブ３０との間の反作用力を適宜吸収し、石突本体１０が地面から離れると、弾性部材２４により弾性復位し、次回も都合良く地面で支えて使用することができるように、杖杆体５０に対して石突本体１０を垂直にする。
【００２０】
図８及び図９に示すように、本考案の他の実施形態に係る杖の石突構造は、組立スリーブ４０の上部嵌合部４１３は、外周縁に設けられたねじ部４１７と、内径面に徐々に小さくなるように設けられた導入開口４１８とに締付けリング４２及び押付けリング４３がそれぞれ取り付けられる。締付けリング４２の開口端には、係合リブ４２１が設けられる。押付けリング４３の外壁には、環状嵌合溝４３１と、徐々に小さくなるように設けられたガイド斜面４３２とが設けられ、係合リブ４２１を介して環状嵌合溝４３１に嵌合され、締付けリング４２と押付けリング４３とが嵌合されて当接され、このとき締付けリング４２によりスリーブ本体４１に螺着されるとともに、押付けリング４３は、ガイド斜面４３２が導入開口４１８に沿って上部嵌合部に押入されて徐々に引き込まれ、組立スリーブ４０の下部嵌合部４１２と、締付けリング４２及び押付けリング４３とが組立てられる。
【００２１】
図５と併せて図８〜図１０を参照する。図５及び図８〜図１０に示すように、本考案の一実施形態に係る杖の石突構造は、組立スリーブ４０の上部嵌合部４１３により杖杆体５０を取り付ける際、まず、締付けリング４２を回して緩め、押付けリング４３を介して杖杆体５０をスリーブ本体４１の上部嵌合部４１３と組み合わせてから、締付けリング４２を回して締付けると、押付けリング４３がガイド斜面４３２により上部嵌合部４１３の導入開口４１８に沿って徐々に引き込まれて変位し、杖杆体５０の外壁に押し当てて杖の石突構造に杖杆体５０を取り付ける。
【００２２】
上述したことから分かるように、本考案の杖の石突構造は、以下の長所を有する。杖の石突構造が弾性緩衝機能と様々な方向で傾く機能とを有し、緩衝部材２５により組立スリーブ４０の圧縮及び蓄勢による復位を行って杖の伸縮を安定させ、杖が地面に接触するときに生じる反発力による衝撃を和らげるとともに、石突本体１０に対して揺動スリーブ３０を様々な方向で傾け、石突本体１０が地面に接触した後に、杖杆体５０が揺動スリーブ３０を介して案内槽１２に沿って任意の角度で傾くため、石突本体１０は如何なる傾斜角度でも地面に接触し、如何なる状態の地面でも杖の石突構造を使用することができるため快適に使用することができ、ユーザを安定的に支えることができる。
【符号の説明】
【００２３】
１０  石突本体
１１  パッド
１２  案内槽
１３  収容空間
１４  蓋体
２０  中心軸棒
２１  接続ロッド部
２２  組立ロッド部
２３  位置決めフランジ
２４  弾性部材
２５  緩衝部材
３０  揺動スリーブ
３１  弧状凸部
４０  組立スリーブ
４１  スリーブ本体
４２  締付けリング
４３  押付けリング
５０  杖杆体
５１  穿孔
２１１  ナット
２２１  ナット
４１１  ストッパ部
４１２  下部嵌合部
４１３  上部嵌合部
４１４  中空ピン
４１５  穿孔
４１６  ピン
４１７  ねじ部
４１８  導入開口
４２１  係合リブ
４３１  環状嵌合溝
４３２  ガイド斜面
【図１】
0003204362.tif 000003
【図２】
0003204362.tif 000004
【図３】
0003204362.tif 000005
【図４】
0003204362.tif 000006
【図５】
0003204362.tif 000007
【図６】
0003204362.tif 000008
【図７】
0003204362.tif 000009
【図８】
0003204362.tif 000010
【図９】
0003204362.tif 000011
【図１０】
0003204362.tif 000012
【手続補正書】
【提出日】平成28年3月29日(2016.3.29)
【手続補正１】
【補正対象書類名】実用新案登録請求の範囲
【補正対象項目名】全文
【補正方法】変更
【補正の内容】
【実用新案登録請求の範囲】
【請求項１】
石突本体、中心軸棒、揺動スリーブ及び組立スリーブを備えた石突構造であって、石突構造が杖杵体の底部に取り付けられて支持機能及び緩衝機能を有するものであり、
前記石突本体は、上端中央部に内側に凹んだ弧面状の案内槽が形成され、前記案内槽により前記石突本体に収容空間が成形され、
前記中心軸棒の両端部には、接続ロッド部及び組立ロッド部がそれぞれ設けられ、前記接続ロッド部と前記組立ロッド部との間には位置決めフランジが設けられ、前記中心軸棒は、前記組立ロッド部を介して前記揺動スリーブに嵌合され、前記組立ロッド部により前記案内槽から前記収容空間内へ挿入され、前記収容空間において弾性部材が前記組立ロッド部に係合され、前記中心軸棒が下方へ向かって沈設されるとともに、前記位置決めフランジが前記揺動スリーブを下方へ向かって押動して前記石突本体に当接し、前記接続ロッド部には、緩衝部材が嵌合され、前記緩衝部材は、一端が前記位置決めフランジに当接され、他端が前記揺動スリーブから突出され、
前記揺動スリーブの底部は弧状凸部に成形され、前記中心軸棒が前記石突本体の前記案内槽に当接され、
前記組立スリーブは、スリーブ本体を有し、前記スリーブ本体内の中央部にはストッパ部が設けられ、前記ストッパ部を介して前記スリーブ本体内に下部嵌合部及び上部嵌合部が設けられ、前記スリーブ本体は、前記下部嵌合部を介して前記揺動スリーブに嵌合するとともに、前記緩衝部材により押し付けられ、前記ストッパ部は、前記中心軸棒が挿通されて螺着されて前記上部嵌合部へ向かうように中空ピンが設けられ、前記上部嵌合部を介して前記杖杆体に取り付けられていることを特徴とする杖の石突構造。
【請求項２】
前記石突本体は、３点支持体を呈し、底部に３つのパッドを有することを特徴とする請求項１に記載の杖の石突構造。
【請求項３】
前記石突本体の底部は、前記収容空間と連通し、蓋体が覆うように配置されていることを特徴とする請求項１又は２に記載の杖の石突構造。
【請求項４】
前記スリーブ本体の前記上部嵌合部の側壁と前記杖杆体とには、互いに位置合わせされた穿孔が形成され、前記穿孔にピンが挿通されて前記上部嵌合部の側壁と前記杖杆体とが互いに連結固定されることを特徴とする請求項１に記載の杖の石突構造。
【請求項５】
前記スリーブ本体の前記上部嵌合部の外周縁には、締付けリングが螺入されるねじ部が設けられ、
前記締付けリング内には、前記杖杆体を押し付けて固定する前記締付けリングが嵌合されることを特徴とする請求項１に記載の杖の石突構造。
【請求項６】
前記スリーブ本体の前記上部嵌合部の端口内径は、上方向から下方向にかけて広がった形状を有する導入開口に成形され、前記押付けリングは、徐々に小さくなるように形成されたガイド斜面を有し、前記締付けリングと前記スリーブ本体とが螺着される際、前記押付けリングは、前記ガイド斜面が前記導入開口に沿って前記上部嵌合部に押入されると徐々に引き込まれて押し付けられることを特徴とする請求項５に記載の杖の石突構造。
【請求項７】
前記押付けリングの外壁には、環状嵌合溝が形成され、
前記締付けリングの開口端を有する係合リブにより、前記押付けリングと前記締付けリングとが嵌合されることを特徴とする請求項５又は６に記載の杖の石突構造。